(57)【特許請求の範囲】
【請求項１】
平坦な状態から架線を囲繞する筒状に変形可能な帯状の基盤と、該基盤の表面に突設された多数の針状体とを有する鳥害防止具を、架線に沿うように供給するための鳥害防止具の取付補助装置であって、
前記鳥害防止具を垂下された姿勢から架線に沿う姿勢とし、架線に沿う方向に挿通させるための鳥害防止具の通路部と、該通路部を架線に係止するための係止部とが備えられていることを特徴とする鳥害防止具の取付補助装置。
【請求項２】
前記係止部は、架線の両側に配置される一対の帯状部材と、該一対の帯状部材間に配置され、かつ、架線上に載せられるローラとを備えていることを特徴とする請求項１に記載の鳥害防止具の取付補助装置。
【請求項３】
前記鳥害防止具の通路部は、鳥害防止具が摺動する底面部材と、該底面部材の両側に立設された側面部材と、該側面部材と前記係止部との間に設けられた上面部材とからなる筒状とされ、底面部材又は少なくとも一方の側面部材が開閉自在とされていることを特徴とする請求項１又は２に記載の鳥害防止具の取付補助装置。
【請求項４】
鳥害防止具を通路部内へスムーズに誘導するために入口に設けられた入口側ガイド部材及び／又は通路部内の鳥害防止部を架線の方へスムーズに誘導するために出口に設けられた出口側ガイド部材が備えられていることを特徴とする請求項１から３のいずれか１項に記載の鳥害防止具の取付補助装置。
【請求項５】
前記底面部材は、曲率が入口側から出口側へ次第に小さくなる樋形状に形成されていることを特徴とする請求項１から４のいずれか１項に記載の鳥害防止具の取付補助装置。
【発明の詳細な説明】
【技術分野】
【０００１】
本発明は、鳥が電線その他の架線に止まることを防止するための鳥害防止具を、架線に取り付ける際に使用する鳥害防止具の取付補助装置に関し、詳しくは、帯状の基盤に多数の針状体を突出させた鳥害防止具を架線に取り付ける際に使用する鳥害防止具の取付補助装置に関する。
【背景技術】
【０００２】
カラスなどの鳥が電柱に架設された電線その他の架線に止まり、排泄されることがある。排泄物が架線に付着すると、架線が劣化し、また、排泄物が地上に落下すると、人や自動車などが汚損される。そこで、このような鳥害を防止するための鳥害防止具が各種提案されている。
【０００３】
例えば、特許文献１には、図８（ａ）に示すように、帯状の基盤１１０の表面に多数の針状体１０１，１０１，…を突設させた鳥害防止具１００が開示されている。基盤１１０は、合成樹脂製で、裏面に複数の溝１１１，１１１，…が長手方向に設けられていることにより（図８（ｂ）参照）、筒状に変形自在とされている。そして、基盤１１０の一方の側面に複数の係合突起１１２，１１２，…が設けられ、他方の側面に複数の係合孔１１３，１１３，…が係合突起１１２，１１２，…の位置に対応して設けられている。さらに、基盤１１０には、軽量化するための透孔１１４，１１４，…が針状体１０１と針状体１０１との間に設けられている。
【０００４】
この鳥害防止具１００は、図８（ｂ）に示すように、針状体１０１，１０１，…が外側になるように電線１を囲繞し、係合突起１１２，１１２，…と係合孔１１３，１１３，…とを係合させることにより、電線１に取り付けられる。基盤１１０は、複数の溝１１１，１１１，…によって筒状に変形し、電線１を囲繞することができる。なお、架線１に取り付けられる鳥害防止具１００は、効率的に取り付けられるように、通常５ｍのものが使用されている。
【０００５】
【特許文献１】特開平８−１７３００６号公報
【発明の開示】
【発明が解決しようとする課題】
【０００６】
特許文献１に開示された鳥害防止具１００は、高所作業車のバケットに搭乗した２人の作業者によって電線１に取り付けられる。詳しくは、作業者のうち、一人が補助者となって鳥害防止具１００を上端の先頭側から電線１に沿わせ、他の一人が主務者となって鳥害防止具１００の係合突起１１２，１１２，…と係合孔１１３，１１３，…とを係合させている。しかし、このような作業は、鳥害防止具１００が捩れたり揺れたりするなど不安定な状態なることにより、効率が悪く、鳥害防止具１００を取り付けるために長時間を要してしまう。
【０００７】
そこで、本発明は、作業者に負担が掛かることなく、鳥害防止具を効率的に架線に取り付けることができるようにした鳥害防止具の取付補助装置を提供することを課題とする。
【課題を解決するための手段】
【０００８】
本発明に係る鳥害防止具の取付補助装置は、平坦な状態から架線を囲繞する筒状に変形可能な帯状の基盤と、該基盤の表面に突設された多数の針状体とを有する鳥害防止具を、架線に沿うように供給するための鳥害防止具の取付補助装置であって、前記鳥害防止具を垂下された姿勢から架線に沿う姿勢とし、架線に沿う方向に挿通させるための鳥害防止具の通路部と、該通路部を架線に係止するための係止部とが備えられていることを特徴としている。
【０００９】
この鳥害防止具の取付補助装置によれば、係止具が架線に係止されることにより、鳥害防止具の通路部が架線に沿う状態とされ、この通路部内を鳥害防止具が挿通する。鳥害防止具は、鉛直姿勢で垂下された状態から通路部内に導入され、架線に沿う姿勢となって通路部内を進行する。したがって、作業者は、鳥害防止部材が落下しないように保持する必要がなくなり、さらに、鳥害防止具が架線に沿う姿勢で通路部から繰り出されるため、鳥害防止具を架線に取り付ける作業が容易になる。
【００１０】
また、前記本発明に係る鳥害防止具の取付補助装置において、前記係止部は、架線の両側に配置される一対の帯状部材と、該一対の帯状部材間に配置され、かつ、架線上に載せられるローラとを備えていることが好ましい。
【００１１】
この鳥害防止具の取付補助装置によれば、係止部が一対の帯状部材とローラとを備えたものとされ、ローラが架線上に載せられることによって、鳥害防止具の取付補助装置が架線上に移動可能に吊り下げられ、また、架線の両側に帯状部材が配置されることによって、ローラが架線から外れにくいようにされている。
【００１２】
また、前記本発明に係る鳥害防止具の取付補助装置において、前記鳥害防止具の通路部は、鳥害防止具が摺動する底面部材と、該底面部材の両側に立設された側面部材と、該側面部材と前記係止部との間に設けられた上面部材とからなる筒状とされ、底面部材又は少なくとも一方の側面部材が開閉自在とされていることが好ましい。
【００１３】
この鳥害防止具の取付補助装置によれば、鳥害防止具の通路部が底面部材と側面部材と上面部材とによって筒状に形成されることにより、底面部材上を摺動している鳥害防止具が脱落しないようにすることができる。そして、鳥害防止具の通路部と係止部内は、両端を開口した閉空間とされても、開閉自在とされた底面部材又は少なくとも一方の側面部材が開状態とされることにより、通路部に開口部分が設けられ、架線が開口部分から通路部内に位置し、さらに係止部を架線に載せることができる。
【００１４】
また、前記本発明に係る鳥害防止具の取付補助装置において、鳥害防止具を通路部内へスムーズに誘導するために入口に設けられた入口側ガイド部材及び／又は通路部内の鳥害防止部を架線の方へスムーズに誘導するために出口に設けられた出口側ガイド部材が備えられていることが好ましい。
【００１５】
この鳥害防止具の取付補助装置によれば、入口側ガイド部材によって鳥害防止具が鉛直姿勢から通路部内にスムーズに誘導され、出口側ガイド部材によって鳥害防止具が通路部内から架線の方へスムーズに誘導される。
【００１６】
また、前記本発明に係る鳥害防止具の取付補助装置において、前記底面部材は、曲率が入口側から出口側へ次第に小さくなる樋形状に形成されていることが好ましい。
【００１７】
この鳥害防止具の取付補助装置によれば、底面部材が樋形状に形成され、曲率が入口側から出口側へ次第に小さくされていることにより、底面部材上を摺動する鳥害防止具が入口側で平坦な状態から出口側で樋形状に変形され、架線を容易に囲繞するようにすることができる。
【発明の効果】
【００１８】
本発明によれば、係止部によって架線に係止される鳥害防止具の通路部内を、鳥害防止具が垂下された状態から架線に沿う方向に挿通することができるため、鳥害防止具を架線に取り付ける作業性を向上させることができる。
【発明を実施するための最良の形態】
【００１９】
本発明に係る鳥害防止具の取付補助装置（以下、主として「取付補助装置」という。）の実施形態について図１から図７を参照しながら説明する。なお、背景技術において説明した部材と同じ部材は、同一符号を付して、その説明を省略する。
【００２０】
この取付補助装置は、背景技術で説明した鳥害防止具１００を電柱（図示せず）に架設された電線、電話線、ケーブルテレビ用ケーブルその他の架線１に取り付けるためのもので、鳥害防止具１００を垂下された姿勢から架線１に沿う姿勢として挿通させるための通路部１０と、この通路部１０を架線１に係止するための係止部２０とを備えている。
【００２１】
そして、第１の実施形態の取付補助装置は、基本形であり、図１及び図２に示すように通路部１０が底面部材１１、側面部材１２，１２、上面部材１３，１３によって筒状に形成され、一端側が鳥害防止具１００の入口Ａ、他端側が鳥害防止具１００の出口Ｂとされている。
【００２２】
底面部材１１は、鳥害防止具１００の針状体１０１，１０１，…の先端部が摺動する部位で、鳥害防止具１００の基盤１１０の幅よりもわずかに広い幅の帯板状に形成されている。側面部材１２は、底面部材１１の両側に立設され、鳥害防止具１００の針状体１０１，１０１，…の高さよりもわずかに高く形成されている。上面部材１３，１３は、帯板状のものが２枚で構成され、それぞれ側面部材１２の上縁から内向きに突設されている。各上面部材１３，１３の内側端縁は、離間し、係止部２０に連設されている。
【００２３】
そして、係止部２０は、架線１の両側に配置される２枚の帯状部材２１，２１と、この２枚の帯状部材２１，２１の間に配置されるローラ２２とを備えている。ローラ２２は、２枚の帯状部材２１，２１の両端部又は両端部と図示しない中間部に軸支され、架線１上に載せられる。したがって、両帯状部材２１，２１は、架線１との間に隙間が生じる程度の間隔が設けられ、また、ローラ２２と架線１の直径とを合計した長さよりも高く形成され、ローラ２２が架線１上から外れないようにされている。ただし、ローラ２２の周面には、架線１の一部分が嵌められるように溝が形成されている。
【００２４】
このような係止部２０の帯状部材２１，２１と前記通路部１０の上面部材１３及び側面部材１２とは一体に階段形状に形成されている。また、各帯状部材２１，２１は、ローラ２２を軸支することによって一体化されている。ただし、図示しないが、各帯状部材２１，２１の上縁に蓋状の部材を架け渡すことにより、各帯状部材２１，２１を一体化してもよい。なお、この帯状部材２１，２１、上面部材１３及び側面部材１２は、平板によって形成してもよいし、格子状や網状に形成してもよい。
【００２５】
そして、底面部材１１と一方の側面部材１２とは、蝶番（図示せず）などによって連結され、底面部材１１が開閉自在とされている。したがって、底面部材１１の先端部と他方の側面部材１２とには、底面部材１１が閉じられた状態を維持することができるように、留め具（図示せず）が取り付けられている。なお、図示しないが、底面部材１１と一方の側面部材１２とを一体化し、他方の側面部材１２を開閉自在としてもよい。ただし、以下の実施形態では、底面部材１１が開閉するとして説明する。
【００２６】
ここで、このような取付補助装置を架線１にセットする方法について説明する。高所作業車のバケットに乗った作業者が取付補助装置を架線１付近に近づける。取付補助装置の底面部材１１が閉じられていると、係止部２０のローラ２２を架線１上に載せることができないため、底面部材１１を仮想線に示すように、開状態とすることにより、通路部１０分に開口部を設ける。そして、架線１がこの開口部を通過するように取付補助装置を移動し、架線１を通路部１０内に位置させる。続いて、取付補助装置を下降して、架線１上にローラ２２を載せることにより、取付補助装置を吊り下げた状態とするとともに、底面部材１１を閉じることによって、通路部１０を両端開口の閉空間とする。
【００２７】
ここで、この取付補助装置を使用して、鳥害防止具１００を架線１に取り付ける方法について説明する。鳥害防止具１００は、バケットに積まれており、作業者が鳥害防止具１００の先端部分を保持し、通路部１０内に案内する。鳥害防止具１００は、中間部ないし後端部が鉛直姿勢に垂下した状態となっているため、下方に引っ張られる。
【００２８】
そこで、作業者は、片方の手で鳥害防止具１００の中間部を保持しつつ、他方の手で鳥害防止具１００の先端部を通路部１０内に案内する。すると、鳥害防止具１００は、図２にも示すように、針状体１０１，１０１，…の先端部が通路部１０の底面部材１１上に載っており、鳥害防止具１００の先端部が通路部１０の入口Ａから出口Ｂ側へ送られるにしたがって、下方に引っ張られる力が弱められる。
【００２９】
そして、鳥害防止具１００の先端部が通路部１０の出口Ｂから導出されると、作業者はこの先端部を掴んで架線１の方へ沿わせる。このとき、鳥害防止具１００は、中間部分が通路部１０の底面部材１１上を摺動しているため、下方に引っ張られる力が作用しない。したがって、作業者は、両手で鳥害防止具１００を架線１に囲繞し、図８に示した係合突起１１２，１１２，…と係合孔１１３，１１３，…を容易に係合させることができる。このようにして、鳥害防止具１００を通路部１０から繰り出しながら、架線１に取り付けていくことができる。
【００３０】
この架線１に取り付けられた鳥害防止具１００は、後端部側を架線１に取り付けるために、先端側を押し出してもよいし、取付補助装置を移動させてもよい。取付補助装置には係止部２０にローラ２２が備えられていることから、取付補助装置は、鳥害防止具１００が載せられた状態でも容易に移動させることができる。
【００３１】
次に、第２の実施形態の取付補助装置について図３を参照しながら説明する。この第２の実施形態の取付装置は、第１の実施形態の取付装置を一部変更したもので、通路部１０の入口Ａに、入口側ガイド部材３１を備えたことを特徴としている。この入口側ガイド部材３１は、ローラによって構成され、底面部材１１には、ローラが嵌る切欠部１１ａと、ローラを軸支する軸受１１ｂが設けられている。軸受部１１ｂは、締結具１１ｃによって底面部材１１に固定される。他の構成は、第１の実施形態と同じであるため、次に特徴的な動作について説明する。
【００３２】
この第２の実施形態の取付装置は、鳥害防止具１００が垂下した姿勢から通路部１０内に案内されるときに、針状体１０１，１０１，…がローラに当接するため、底面部材１１を挟む状態とならない。したがって、鳥害防止具１００は、通路部１０内をスムーズに挿通する。他の基本的な動作は、第１の実施形態と同じであるため、説明を省略する。
【００３３】
次に、第３の実施形態の取付補助装置について図４を参照しながら説明する。この第３の実施形態の取付補助装置は、通路部１０の入口Ａに入口側ガイド部材３１、出口Ｂに出口側ガイド部材３２を設けたことを特徴としている。入口側ガイド部材３１は、撓曲した板状部材によって構成され、上面を凸面として底面部材１１の入口側端縁に接続されている。また、出口側ガイド部材３２は、撓曲した板状部材によって構成され、上面を凹面として底面部材１１の出口Ｂ側端縁に接続されている。他の構成は、第１の実施形態と同じであるため、次に特徴的な動作について説明する。
【００３４】
この第３の実施形態の取付装置は、鳥害防止具１００が垂下した状態から通路内に案内されるときに、針状体１０１，１０１，…の先端部が入口側ガイド部材３１の上面に沿ってスムーズに移動する。また、鳥害防止具１００は、通路の出口Ｂから出口側ガイド部材３２によって架線１に沿うように傾斜姿勢とさせられる。したがって、鳥害防止具１００を架線１に囲繞する作業を容易にすることができる。なお、入口側ガイド部材３１は、垂下した姿勢から沿わすため、急なカーブ形状としてもよいが、出口側ガイド部材３２は、水平な架線１に沿わすため、緩やかなカーブ形状とされる。
【００３５】
次に、第４の実施形態の取付補助装置について図５を参照しながら説明する。この第４の実施形態の取付補助装置は、通路部１０の底面部材１１が樋形状に形成され、樋形状の曲率が入口側から出口Ｂ側に次第に小さくなるようにしたことを特徴としている。他の構成は、第１の実施形態と同じであるため、次に特徴的な動作について説明する。
【００３６】
第４の実施形態の取付装置は、鳥害防止具１００が垂下した状態から通路内に案内されるが、入口Ａ側ではほぼ平坦な形状で進入し、出口Ｂ側へ進行するにつれて、半円状に変形する。鳥害防止具１００は、出口Ｂ側で半円状に変形されることにより、架線１に囲繞しやすくなる。
【００３７】
次に、第５の実施形態について図６を参照しながら説明する。この第５の実施形態の取付補助装置は、底面部材１１の一方の側縁にのみ側面部材１２を立設し、他方の側縁に開口部１４を設けたことを特徴としている。したがって、底面部材１１又は側面部材１２は開閉自在とされていない。
【００３８】
なお、底面部材１１の一方の側縁に側面部材１２が立設され、他方に開口部１４が設けられると、アンバランスとなることから、係止部２０を架線１に係止したときに、取付補助装置が傾斜姿勢となり、また、通路部１０内を進行している側面部材１２のない方へ脱落する虞がある。そこで、底面部材１１の他端側と、この他端側と対向する上面部材１３とに、バランサ兼ガイドレールとして作用する突条１５，１５を設けることが好ましい。他の構成は、第１の実施形態と同じであるため、次に特徴的なセットの方法及び動作について説明する。
【００３９】
この第５の実施形態の取付補助装置は、開口部１４から架線１を通路部１０内に位置させる。したがって、底面部材１１又は側面部材１２を開閉する作業が解消され、架線１にセットする作業性が向上する。鳥害防止具１００が垂下された姿勢から通路内を挿通するときは、突条１５，１５によって落下しにくくされている。なお、突条１５，１５が設けられていなくても、鳥害防止具１００を立設された側面部材１２に寄せて挿通することにより、鳥害防止具１００が脱落しないようにすることができる。
【００４０】
次に、第６の実施形態の取付補助装置について図７を参照しながら説明する。この第６の実施形態の取付補助装置は、通路部１０の底面部材１１が架線１上に載り、架線１を掴む係止部２０が底面部材１１の底面に備えられていることを特徴としている。
【００４１】
架線１は、直径などが多種多様であり、太すぎると、前記各実施形態のローラ２２上に載せられなかったり、２枚の帯状部材２１，２１の間に入らなかったりする。そこで、第６の実施形態では、係止部２０が架線１を両側から掴むようなグリップによって構成されている。このグリップは、簡略化した形状のものを図示したが、取付補助装置が架線１上に載った状態を維持することができるように強固に架線１を保持するものが使用される。
【００４２】
なお、この取付補助装置は、仮想線で示すように、底面部材１１の両側縁から架線１の下方まで垂下するバランサ１６，１６を備えてもよい。また、通路部１０は、底面部材１１の両側縁に側面部材１２，１２が立設され、この両側面部材１２，１２に１枚の上面部財１３が架け渡されることによって設けられる。
【００４３】
この第６の実施形態の取付補助装置にあっては、鳥害防止具１００は、基盤１１０が底面部材１１上を摺動し、針状体１０１，１０１，…が上向きとなって通路部１０内を進行する。そして、通路部１０から排出された鳥害防止具１００は、架線１を上側から囲繞する。鳥害防止具１００は、基盤１１０が底面部材１１上を摺動することから、容易に架線１を囲繞して、取り付けることができる。
【００４４】
なお、鳥害防止具１００は、架線１の下側から上側へ持ち上げられて通路部１０内を進行するため、架線１が邪魔になることもある。したがって、この第６の実施形態の取付補助装置では、図４に示した入口側ガイド部材３１を捩ったような入口側ガイド部材３１を備えることが好ましい。
【００４５】
本発明は、前記第１から第６の実施形態に限定することなく、種々変更することができる。例えば、第２の実施形態で説明した入口側ガイド部材３１を第３ないし第５の実施形態の取付補助装置に備えてもよい。さらに第３の実施形態で示した出口側ガイド部材３２を第２又は第５の実施形態の取付補助装置に備えてもよい。
【００４６】
また、係止部２０は、側面視で逆Ｊ字形に形成してもよい。この場合は、底面部材１１又は側面部を開閉自在としなくてもよい。そして、逆Ｊ字形の係止部２０は、曲部の内側にローラ２２を備えてもよい。逆に、第１ないし第６の係止部２０は、ローラ２２を備えていないものとしてもよい。
【図面の簡単な説明】
【００４７】
【図１】本発明に係る鳥害防止具の取付補助装置の第１の実施形態を示す概略斜視図である。
【図２】本発明に係る鳥害防止具の取付補助装置の第１の実施形態を示す側面図である。
【図３】本発明に係る鳥害防止具の取付補助装置の第２の実施形態を示す概略斜視図である。
【図４】本発明に係る鳥害防止具の取付補助装置の第３の実施形態を示す概略斜視図である。
【図５】本発明に係る鳥害防止具の取付補助装置の第４の実施形態を示す概略斜視図である。
【図６】本発明に係る鳥害防止具の取付補助装置の第５の実施形態を示す概略斜視図である。
【図７】本発明に係る鳥害防止具の取付補助装置の第６の実施形態を示す側面図である。
【図８】（ａ）は鳥害防止具の斜視図、（ｂ）は鳥害防止具の断面側面図である。
【符号の説明】
【００４８】
１………架線
１０……通路部
１１……底面部材
１２……側面部材
１３……上面部材
２０……係止部
２１……帯状部材
２２……ローラ
３１……入口側ガイド部材
３２……出口側ガイド部材
１００…鳥害防止具
１０１…針状体
１１０…基盤
Ａ………入口
Ｂ………出口
【図１】
0004948472.tif 000002
【図２】
0004948472.tif 000003
【図３】
0004948472.tif 000004
【図４】
0004948472.tif 000005
【図５】
0004948472.tif 000006
【図６】
0004948472.tif 000007
【図７】
0004948472.tif 000008
【図８】
0004948472.tif 000009